(57)【要約】【課題】  プランジャーガイドにおけるプランジャーを円滑に動作させることにより、安全装置の不具合が生じないようにする。【解決手段】  ラインスイッチ操作装置１の筺体３内壁に、ラインスイッチ操作装置１を構成する回転盤４の周縁に向けて揺動自在に取り付けた安全装置レバー５と、安全装置レバー５とプランジャー９間を連繋させる連結リンク８と、安全装置レバー５を、回転盤４の周縁に離接させる、プランジャー９を吸引する安全装置コイル７と、を備え、連結リンク８の移動方向と、安全装置コイル７内のプランジャー９の移動方向とが同一になるように、連結リンク８と安全装置コイル７を配置した、ラインスイッチ操作装置１内に設ける自動安全装置２である。【選択図】  図１
2005216762.tif 000002
【特許請求の範囲】
【請求項１】
ラインスイッチ操作装置（１）内に設ける自動安全装置（２）であって、
前記ラインスイッチ操作装置（１）の筺体（３）内壁に、該ラインスイッチ操作装置（１）を構成する回転盤（４）の周縁に向けて揺動自在に取り付けた安全装置レバー（５）と、
前記安全装置レバー（５）と前記プランジャー（９）間を連繋させる連結リンク（８）と、
前記安全装置レバー（５）を、前記回転盤（４）の周縁に離接させる、前記プランジャー（９）を吸引する安全装置コイル（７）と、を備え、
前記連結リンク（８）の移動方向と、前記安全装置コイル（７）内のプランジャー（９）の移動方向とが同一になるように、前記連結リンク（８）と前記安全装置コイル（７）を配置した、ことを特徴とするラインスイッチ操作装置における自動安全装置。
【請求項２】
前記安全装置コイル（７）を、前記ラインスイッチ操作装置（１）の筺体（３）に、前記安全装置レバー（５）の長手方向と、前記安全装置コイル（７）内のプランジャー（９）の吸引方向とで構成される角度（θ）が、直角より狭い角度になるように、前記安全装置コイル（７）を前記安全装置レバー（５）の基端部（５ａ）側へ傾斜させて配置した、ことを特徴とする請求項1のラインスイッチ操作装置における自動安全装置。
【請求項３】
前記安全装置コイル（７）を、前記ラインスイッチ操作装置（１）の筺体（３）に、前記安全装置レバー（５）の長手方向と、前記安全装置コイル（７）内のプランジャー（９）の吸引方向とで構成される角度（θ）が、直角より狭い角度になるように、前記前記安全装置レバー（５）を安全装置コイル（７）側へ傾斜させて配置した、ことを特徴とする請求項1のラインスイッチ操作装置における自動安全装置。
【発明の詳細な説明】
【技術分野】
【０００１】
本発明は、ラインスイッチ操作装置のロック時とロック解除を円滑に行うことができるラインスイッチ操作装置における自動安全装置に関するものである。
【背景技術】
【０００２】
従来より、電力の送配電用のラインを入り切りする装置として、例えば特許文献１の「断路器」が提案されている。
【特許文献１】特開平７−２８８９０６
【０００３】
例えば５００ｋＶ送電線のラインスイッチ操作装置１には、制御回路に自動安全装置２が設けられている。この自動安全装置２は、図５に示すように、ラインスイッチ操作装置１の筺体３内に、ラインスイッチ操作装置１を構成する回転盤４の回転を阻止するために、筺体３内壁から回転盤４の周縁に向けて安全装置レバー５を配置している。この安全装置レバー５は、その基端部５ａを筺体３の内壁に揺動自在に取り付け、その安全装置レバー５の先端部５ｂが回転盤４の周縁と離接自在に揺動し得るように取り付けられたものである。
【０００４】
安全装置レバー５の先端部５ｂには、作動ピン６が固定されており、この作動ピン６は回転盤４の周縁に直角に形成された切欠部４ａに嵌まるようになっている。この作動ピン６が切欠部４ａに嵌まっているときは、回転盤４が矢印方向（Ａ方向）へ回転することを阻止することができる。このようにして自動安全装置２のロック時とはロック解除時を制御していた。
【０００５】
自動安全装置２のロック解除するとき、即ちラインスイッチ操作装置１の回転盤４をＡ方向へ回転させるときは、安全装置コイル７の吸引力を用いて、安全装置レバー５を回転盤４の周縁から離し、切欠部４ａに嵌まっている作動ピン６を外すことにより、回転盤４のＡ方向への回転阻止を解除する。この安全装置レバー５を動作させるために、この安全装置レバー５の基端部５ａと先端部５ｂとの中間位置と、ラインスイッチ操作装置１の筺体３の一部に固定した安全装置コイル７との間に連結リンク８を連繋してある。この連結リンク８は、その一端に固定したプランジャー９を安全装置コイル７の磁力により吸引動作させるようになっている。
【０００６】
プランジャー９を吸引する安全装置コイル７は、このプランジャー９を円滑に動作させるために、プランジャーガイド１０内を移動させるようになっている。この安全装置コイル７は、ラインスイッチ操作装置１の筺体３に設けた取付座１１を介して固定してある。この安全装置コイル７の取付座１１には、断面が直角の略Ｌ字形状になる部材の一面１１ａをラインスイッチ筺体３に取り付け、この取付座１１の他面１１ｂに安全装置コイル７を取り付けている。
【発明の開示】
【発明が解決しようとする課題】
【０００７】
上記のように構成されたプランジャー９とプランジャーガイド１０の隙間には、プランジャー９を円滑に動作させるようにグリースを薄く塗布してある。この塗布したグリースに、塵埃が付着することがあり、これが抵抗となりプランジャー９の動作を阻害し、その安全装置コイル７が不動作になるために、ラインスイッチ操作装置１が駆動せずにラインスイッチ本体が動作しないという問題があった。
【０００８】
また、このプランジャー９とプランジャーガイド１０との接触抵抗を増大させている原因が、安全装置コイル７内のプランジャー９の移動方向と連結リンク８の移動方向とが直線上に無かったことがある。即ち、図６の動作説明図に示すように、従来の安全装置レバー５と安全装置コイル７との位置関係においては、安全装置レバー５の動作方向が、その基端部５ａを中心とした円弧状であるのに対し、安全装置コイル７のプランジャー９の動作方向が図示上では上下といった直線方向であった。そこで、安全装置コイル７に電流が流れプランジャー９を吸引した時に、プランジャー９とプランジャーガイド１０が強く接触して摩擦抵抗が生じ、吸引力が有効に働かなくなるという問題があった。
【０００９】
本発明は、かかる問題点を解決するために創案されたものである。すなわち、本発明の目的は、プランジャーガイドにおけるプランジャーを円滑に動作させることにより、安全装置の不具合が生じないようにしたラインスイッチ操作装置における自動安全装置を提供することにある。
【課題を解決するための手段】
【００１０】
本発明によれば、ラインスイッチ操作装置（１）内に設ける自動安全装置（２）であって、前記ラインスイッチ操作装置（１）の筺体（３）内壁に、該ラインスイッチ操作装置（１）を構成する回転盤（４）の周縁に向けて揺動自在に取り付けた安全装置レバー（５）と、前記安全装置レバー（５）と前記プランジャー（９）間を連繋させる連結リンク（８）と、前記安全装置レバー（５）を、前記回転盤（４）の周縁に離接させる、前記プランジャー（９）を吸引する安全装置コイル（７）と、を備え、前記連結リンク（８）の移動方向と、前記安全装置コイル（７）内のプランジャー（９）の移動方向とが同一になるように、前記連結リンク（８）と前記安全装置コイル（７）を配置した、ことを特徴とするラインスイッチ操作装置における自動安全装置が提供される。
【００１１】
前記安全装置コイル（７）を、前記ラインスイッチ操作装置（１）の筺体（３）に、前記安全装置レバー（５）の長手方向と、前記安全装置コイル（７）内のプランジャー（９）の吸引方向とで構成される角度（θ）が、直角より狭い角度になるように、前記安全装置コイル（７）を前記安全装置レバー（５）の基端部（５ａ）側へ傾斜させて配置したしたものである。
【００１２】
また、前記安全装置コイル（７）を、前記ラインスイッチ操作装置（１）の筺体（３）に、前記安全装置レバー（５）の長手方向と、前記安全装置コイル（７）内のプランジャー（９）の吸引方向とで構成される角度（θ）が、直角より狭い角度になるように、前記前記安全装置レバー（５）を安全装置コイル（７）側へ傾斜させて配置したしたものである。
【発明の効果】
【００１３】
本発明の自動安全装置（２）は、安全装置コイル（７）内のプランジャー（９）の移動方向と連結リンク（８）の移動方向が直線上になるように、安全装置コイル（７）と安全装置レバー（５）とを配置してあるので、このプランジャー（９）がプランジャーガイド（１０）に強く接触することなく動作させる、接触抵抗を大幅に低減することができる。そこで、操作時に自動安全装置（２）のロック又はロック解除動作を円滑に実施することができ、ラインスイッチ本体が動作しないという不具合を回避することができる。
【発明を実施するための最良の形態】
【００１４】
以下、本発明を実施するための最良の形態を図面を参照して説明する。
本発明のラインスイッチにおける自動安全装置は、ラインスイッチの筺体内に設けるものであり、ラインスイッチの回転盤の回転を阻止する（ロックする）ことにより、不用意にラインスイッチが動作することを阻止する構成になっている。
【実施例１】
【００１５】
図１本発明のラインスイッチ操作装置における自動安全装置の第一の実施例を示す説明図である。図２は本発明のラインスイッチ操作装置における自動安全装置の動作説明図である。
この自動安全装置２は、筺体３内壁から回転盤４の周縁に向けて安全装置レバー５を配置している。この安全装置レバー５は、その基端部５ａを筺体３内壁に揺動自在に取り付け、その安全装置レバー５の先端部５ｂが回転盤４の周縁と離接自在に揺動し得るように取り付けられたものである。
【００１６】
安全装置レバー５の先端部５ｂには、作動ピン６が固定されており、この作動ピン６は回転盤４の周縁に直角に形成された切欠部４ａに嵌まるようになっている。この作動ピン６が、切欠部４ａに嵌まっているときは、回転盤４は矢印方向（Ａ方向）への回転を阻止することができる。このようにして自動安全装置２のロック時とロック解除時を制御していた。
【００１７】
自動安全装置２のロック解除するときは、即ちラインスイッチ操作装置１の回転盤４をＡ方向へ回転させるときは、安全装置コイル７の吸引力を用いて、安全装置レバー５を回転盤４の周縁の切欠部４ａに嵌まっている作動ピン６を外すことにより、回転盤４のＡ方向への回転阻止を解除する。この安全装置レバー５を動作させるために、この安全装置レバー５の基端部５ａと先端部５ｂとの中間位置と、ラインスイッチ操作装置１の筺体３の一部に固定した安全装置コイル７との間に連結リンク８に連繋したものである。この連結リンク８は、その一端に固定したプランジャー９を安全装置コイル７の磁力により吸引動作させるようになっている。
【００１８】
第一の実施例では、連結リンク８の回転動作方向に、安全装置コイル７内のプランジャー９の移動方向が同一になるように、連結リンク８と安全装置コイル７を配置したものである。この安全装置コイル７では、ラインスイッチ操作装置１の筺体３において、安全装置レバー５の長手方向と、安全装置コイル７内のプランジャー９の吸引方向とで構成される角度θが、直角より狭い角度になるように（θ＜９０°）、安全装置コイル７を安全装置レバー５の基端部５ａ側へ傾斜させて配置した。
【００１９】
このときは、ラインスイッチ操作装置１の筺体３に、安全装置コイル７を取り付ける取付座１２の断面が直角より狭く形成した略Ｌ字形状の部材を用いる。この取付座１２の一面１２ａをラインスイッチ操作装置１の筺体３に取り付け、この取付座１２の他面１２ｂに安全装置コイル７を取り付けている。因みに図示例のような配置では、約６°の傾斜角度が最適であった。
【００２０】
このような位置関係に安全装置コイル７と安全装置レバー５とを配置することで、安全装置コイル７内のプランジャー９の移動方向と連結リンク８の移動方向とを同一の直線上にすることができるので、この安全装置コイル７内のプランジャー９は、プランジャーガイド１０に強く接触することなく、動作することができ、接触抵抗を大幅に低減することができる。
【００２１】
図３は本発明のラインスイッチ操作装置を組み込んだラインスイッチ本体の一例を示す斜視図である。
本発明のラインスイッチ操作装置１は、例えば図３に示すラインスイッチ本体に組み込んで使用することができる。このラインスイッチ本体は、鉄塔２１上にベース部２２に設け、このベース部２２に固定接触部２３ａ，２３ｂ、ブレード部２４、操作丸棒２５とを備えたものである。この操作丸棒２５がブレード部２４を回動させてラインスイッチとして動作するようになっている。このブレード部２４を回動させる駆動装置２６は、本発明のラインスイッチ操作装置１を構成する回転盤４の回転軸２７に連結された操作ロッド２８により駆動するようになっている。
【実施例２】
【００２２】
図４は本発明のラインスイッチ操作装置における自動安全装置の第二の実施例を示す説明図である。
本発明はプランジャーガイド１０におけるプランジャー９の動作を円滑にすることにより、自動安全装置２の不具合を生じさせないことを目的とするものである。そこで、第二の実施例では、安全装置コイル７を、ラインスイッチ操作装置１の筺体３において、安全装置レバー５の長手方向と、安全装置コイル７内のプランジャー９の吸引方向とで構成される角度θが、直角より狭い角度になるように（θ＜９０°）、安全装置レバー５を安全装置コイル７側へ傾斜させて配置した。このような配置構成であっても、安全装置コイル７内のプランジャー９の移動方向と連結リンク８の移動方向とを同じ直線上にすることができるので、このプランジャー９は、プランジャーガイド１０に強く接触することなく、動作させることができ、接触抵抗を大幅に低減することができる。
【００２３】
このとき安全装置レバー５は、その基端部５ａ側に傾斜面を有する取付台１３を介在させてラインスイッチ操作装置１の筺体３内壁に固定することも可能である。このような構成配置でも、安全装置コイル７内のプランジャー９の移動方向と連結リンク８の移動方向とを同じ直線上にすることができる
【００２４】
なお、本発明は、連結リンク８の回転動作方向に、安全装置コイル７内のプランジャー９の移動方向を同一になるように、連結リンク８と安全装置コイル７を配置した構成であれば、上述した発明の実施の形態に限定されず、本発明の要旨を逸脱しない範囲で種々変更できることは勿論である。
【産業上の利用可能性】
【００２５】
本発明の自動安全装置は、ラインスイッチ操作装置の信頼性を向上させるために、電力の送配電用の幹線ラインに設けるラインスイッチに装置することができる。
【図面の簡単な説明】
【００２６】
【図１】本発明のラインスイッチ操作装置における自動安全装置の第一の実施例を示す説明図である。
【図２】本発明のラインスイッチ操作装置における自動安全装置の動作説明図である。
【図３】本発明のラインスイッチ操作装置を組み込んだラインスイッチ本体の一例を示す斜視図である。
【図４】本発明のラインスイッチ操作装置における自動安全装置の第二の実施例を示す説明図である。
【図５】従来の自動安全装置を示す説明図である。
【図６】従来の自動安全装置の動作説明図である。
【符号の説明】
【００２７】
１  ラインスイッチ操作装置
２  自動安全装置
３  筺体
４  回転盤
５  安全装置レバー
５ａ  安全装置レバーの基端部
７  安全装置コイル
８  連結リンク
９  プランジャー
θ  安全装置レバーと安全装置コイルの吸引方向との角度
【図１】
2005216762.tif 000003
【図２】
2005216762.tif 000004
【図３】
2005216762.tif 000005
【図４】
2005216762.tif 000006
【図５】
2005216762.tif 000007
【図６】
2005216762.tif 000008